(57)【要約】【課題】小形、軽量形態の草刈機の伝動装置として、左右一対のブレード軸をベルト伝動構成する形態では、プーリ径や厚さ等が大きくなって、機体の大形化、重量増の傾向となる。この発明は、このような伝動機構を平ギヤを主体として、小形化、軽量化を図ると共に、伝動機構を簡素化するものである。【解決手段】左右一対のブレード軸１，２を軸装する伝動ケース３の後部上側にエンジン４を搭載し、下側に左右の駆動車輪５，６を軸装する車軸７を配置し、このエンジン４によって、上下方向の入力軸１２、変速ギヤ８、及びウォームギヤ９を有する車輪駆動軸１１等を介して該車軸７を連動すると共に、この入力軸１２から前側のブレード連動ギヤ１０を介して、ブレード軸１，２を連動することを特徴とする草刈機の伝動装置の構成とする。【選択図】図１
2008167679.tif 000002
【特許請求の範囲】
【請求項１】
左右一対のブレード軸（１），（２）を軸装する伝動ケース（３）の後部上側にエンジン（４）を搭載し、下側に左右の駆動車輪（５），（６）を軸装する車軸（７）を配置し、このエンジン（４）によって、上下方向の入力軸（１２）、変速ギヤ（８）、及びウォームギヤ（９）を有する車輪駆動軸（１１）等を介して該車軸（７）を連動すると共に、この入力軸（１２）から前側のブレード連動ギヤ（１０）を介して、ブレード軸（１），（２）を連動することを特徴とする草刈機の伝動装置。
【請求項２】
前記伝動ケース（３）は、車輪駆動軸（１１）を、駆動車輪（５），（６）間、且つ、左右に偏倚させて配置することを特徴とする請求項１に記載の草刈機の伝動装置。
【発明の詳細な説明】
【技術分野】
【０００１】
この発明は、小形、軽量形態の草刈機の伝動装置に関し、駆動車輪、及びブレード軸の伝動機構、伝動ケース等を簡単に構成するものである。
【背景技術】
【０００２】
エンジンを有した伝動ギヤケースの前下部に、ベルト伝動する左右一対のブレード軸を軸装する伝動ケースを設け、この伝動ケースの下側に刈刃カバーを取付けた構成（例えば、特許文献１参照）が知られている。
【特許文献１】特許第３５３３６５６公報
【発明の開示】
【発明が解決しようとする課題】
【０００３】
小形、軽量形態の草刈機の伝動装置として、左右一対のブレード軸をベルト伝動構成する形態では、プーリ径や厚さ等が大きくなって、機体の大形化、重量増の傾向となる。この発明は、このような伝動機構を平ギヤを主体として、小形化、軽量化を図ると共に、伝動機構を簡素化するものである。
【課題を解決するための手段】
【０００４】
請求項１に記載の発明は、左右一対のブレード軸１，２を軸装する伝動ケース３の後部上側にエンジン４を搭載し、下側に左右の駆動車輪５，６を軸装する車軸７を配置し、このエンジン４によって、上下方向の入力軸１２、変速ギヤ８、及びウォームギヤ９を有する車輪駆動軸１１等を介して該車軸７を連動すると共に、この入力軸１２から前側のブレード連動ギヤ１０を介して、ブレード軸１，２を連動することを特徴とする草刈機の伝動装置の構成とする。エンジン４の駆動によって縦方向の入力軸１２から、車輪駆動軸１１上端部の変速ギヤ８、及び車輪駆動軸１１下端部のウォームギヤ９を介して車軸７、駆動車輪５，６を伝動して走行し、又、該入力軸１２から前側のブレード連動ギヤ１０を介して、左右のブレード軸１，２を伝動回転して、草刈取作用を行う。入力軸１２から後側の車輪駆動軸１１への連動を平ギヤ伝動形態とし、又、前側のブレード軸１，２への連動を平ギヤ伝動形態として、略同一平面形態に薄く配置して、伝動ケース３を薄くすることができる。又、この伝動ケース３の下側ではブレードの回転によって刈取られる芝草が後方へ排出されるが、この後部の車軸７部には上方から車輪駆動軸１１及びこの下端部のウォームギヤ９が幅狭く形成されるため、車軸７下側の刈草排出間隔を大きく形成して、円滑な排出を行わせる。
【０００５】
請求項２に記載の発明は、前記伝動ケース３は、車輪駆動軸１１を、駆動車輪５，６間、且つ、左右に偏倚させて配置することを特徴とする。前記のようにして車輪駆動軸１１は、駆動車輪５，６間で、左右どちらかに偏倚させて配置してあるので、中央部間隔を広く形成して、とくに左右駆動車輪５，６間隔を狭くした場合にあっても、刈取草排出の抵抗を小さくすることができる。
【発明の効果】
【０００６】
請求項１に記載の発明は、前側の左右一対のブレード軸１，２を連動する伝動機構を伝動ケース３に沿う平ギヤを主体とすることができるため、この伝動ケース３の厚さを薄く構成することができ、小形、軽量化の草刈機構成とすることができる。しかも、駆動車輪５，６を軸装する車軸７に変速ギヤ８から連動される車輪駆動軸１１のウォームギヤ９を配置して連動するため、このウォームギヤ９を覆う伝動ケース部を高位に幅狭く形成して、車軸７下の芝草排出域を広く形成して排出抵抗を軽減することができ、機体のブレード軸１，２と、後車軸７との間の前後長を短くして、草刈操作性を良好にすることができる。
【０００７】
請求項２に記載の発明は、前記のように草刈機の小形、軽量化を図り、操作性を良くすることができると共に、更に伝動ケース３の後部を幅狭く形成して、左右車輪５，６間の芝草排出間隔を広くすることができ、排出抵抗を小さくして円滑な排出を行うことができる。
【発明を実施するための最良の形態】
【０００８】
図面に基づいて、草刈機は、薄厚形態で平面視三角状形態の伝動ケース３を主体として、この伝動ケース３の後端下側に、左右一対の駆動車輪５，６を軸装する車軸７を有し、上部にエンジン４を搭載し、この伝動ケース３の走行進行方向Ｆ前部には左右一対のブレード軸１，２を軸装して、下端部にブレード１４を有して回転により、芝草を刈取可能に構成すると共に、このブレード１４の前縁部を左右外側から中央内側へ向けて回転させることによって、刈取った芝草をこれら左右ブレード１４間から中央後側へ向けて排出するように構成する。これら左右ブレード１４の外側前部に左右一対のゲージホイル１５を回転自在に軸１６装している。このゲージホイル１５支持のホイルフレーム１７は、伝動ケース３上面に取付けたブラケット１８を介して装着され、このブラケット１８上には、後端にハンドル１９を有したハンドルフレーム２０の前端部を、ハンドル旋回軸２１、及びハンドル高調節軸２２の周りに回動調節可能に設ける。
【０００９】
ここにおいて、この発明は、左右一対のブレード軸１，２を軸装する伝動ケース３の後部上側にエンジン４を搭載し、下側に左右の駆動車輪５，６を軸装する車軸７を配置し、このエンジン４によって、上下方向の入力軸１２、変速ギヤ８、及びウォームギヤ９を有する車輪駆動軸１１等を介して該車軸７を連動すると共に、この入力軸１２から前側のブレード連動ギヤ１０を介して、ブレード軸１，２を連動することを特徴とする草刈機の伝動装置の構成とする。エンジン４の駆動によって縦方向の入力軸１２から、
車輪駆動軸１１上端部の変速ギヤ８、及び車輪駆動軸１１下端部のウォームギヤ９を介して車軸７、駆動車輪５，６を伝動して走行し、又、該入力軸１２から前側のブレード連動ギヤ１０を介して、左右のブレード軸１，２を伝動回転して、草刈取作用を行う。入力軸１２から後側の車輪駆動軸１１への連動を平ギヤ伝動形態とし、又、前側のブレード軸１，２への連動を平ギヤ伝動形態として、略同一平面形態に薄く配置して、伝動ケース３を薄くすることができる。又、この伝動ケース３の下側ではブレードの回転によって刈取られる芝草が後方へ排出されるが、この後部の車軸７部には上方から車輪駆動軸１１及びこの下端部のウォームギヤ９が幅狭く形成されるため、車軸７下側の刈草排出間隔を大きく形成して、円滑な排出を行わせる。
【００１０】
又、この草刈機の前記伝動ケース３は、車輪駆動軸１１を、駆動車輪５，６間、且つ、左右に偏倚させて配置することを特徴とする。前記のようにして車輪駆動軸１１は、駆動車輪５，６間で、左右どちらかに偏倚させて配置してあるので、中央部間隔を広く形成して、とくに左右駆動車輪５，６間隔を狭くした場合にあっても、刈取草排出の抵抗を小さくすることができる。
【００１１】
前記伝動ケース３は、後端部に車輪駆動軸１１を上下方向に向けて軸受けし、この車輪駆動軸１１の前側に入力軸１２を設ける。これら入力軸１２と車輪駆動軸１１、及び前側の左右各ブレード軸１，２等は、各々上下方向に並立する平行形態に軸装される。該入力軸１２は伝動ケース３の上面に突出してクラッチハウジング２３を有し、エンジン４のエンジン軸２４（クランク軸）との間をクラッチ２５を介して連動される。このエンジン４をエンジン軸２４を中心として左右の重量バランスを図るようにして搭載する。入力軸１２の下端部に平入力ギヤ２６を設け、後側の車輪駆動軸１１の変速ギヤ２７との間を噛合させて、この変速ギヤ２７を、車輪駆動軸１１上方に設ける変速レバー２８の操作で切替噛合可能にして、駆動車輪５，６の回転を変速するように構成している。この車輪駆動軸１１が連結、乃至一体構成されて、ウォームギヤ９を有する。このウォームギヤ９を後側の車軸７のウォームホイル２９に噛合させて、左右の駆動車輪５，６を駆動して走行するように構成している。このようなウォームギヤ９、及びウォームホイル２９を覆うと共に、車輪駆動軸１１、及び車軸７等を軸受けするウォームケース３０を伝動ケース３の後端部の下面にボルト締め等によって分解可能に取付けている。このウォームケース３０内の潤滑は、潤滑油を注入する形態とすることができるが、伝動ケース３内と併せてグリス注油の形態とすることも可能である。
【００１２】
前記入力軸１２から左右のブレード軸１，２への連動は、平ギヤからなるブレード連動ギヤ１０を介して行われる。入力軸１２と左側のブレード軸１との間にクラッチ軸３１を設けて、このクラッチ軸３１上のクラッチギヤ３２を、入力ギヤ２６とブレード軸１上のブレードギヤ３３との間に噛合させて、ブレード軸１を駆動する構成としている。このクラッチ軸３１の上端部に設ける刈刃クラッチレバー３４を操作することによって、このクラッチ軸３１上のクラッチギヤ３２を上下に移動して、入力ギヤ１２、カウンタギヤ３８、及びブレードギヤ３３と噛合させたり、離脱させたりして、刈刃伝動のクラッチを入り切りすることができる。又、前記左右のブレード軸１，２間にカウンタ軸３７を設け、このカウンタ軸３７上のカウンタギヤ３８を前記クラッチギヤ３２と右側のブレード軸２上のブレードギヤ３９と噛合させて、この右ブレード軸２を左ブレード軸１と対向する方向Ｂへ回転するように連動構成する。左右一対のブレード軸１，２は、伝動ケース３の下面に突出した軸受メタル４０に軸受けされて、下端部を適宜長さ下方に突出させて、ブレード１，２を取付ける。前記入力軸１２の回転によってクラッチギヤ３２、カウンタギヤ３８等のブレード連動ギヤ１０を経てブレード軸１，２を回転して、草刈作用を行うものである。又、刈刃クラッチレバー３４を操作してクラッチ軸３１上のクラッチギヤ３２を上動すると、入力ギヤ２６、カウンタギヤ３８、及びブレードギヤ３３に対するクラッチギヤ３２の噛合が外れて、刈刃クラッチが切りの状態となり、草刈作業を停止する。
【００１３】
前記図例の刈刃クラッチは、クラッチギヤ３２を、入力ギヤ２６と、カウンタギヤ３８及び、左側のブレードギヤ３３の三枚の平ギヤに噛合、離脱可能に構成するが、このクラッチ軸３１上のクラッチギヤ３２を上下二枚に構成して、このうち上下いずれかのクラッチギヤを入力ギヤ２６に常時噛合させて刈刃クラッチレバー３４で上下動可能に構成し、このクラッチギヤの上下動によって刈刃クラッチを入り切りに着替える他方のギヤを、ブレードギヤ３３とカウンタギヤ３８に常時噛合させる形態として構成することも可能である。
【００１４】
前記伝動ケース３は、前部ブレード軸１，２部の横幅は広くし、後部入力軸１２、乃至車輪駆動軸１１部の横幅を狭くして、左右の駆動車輪５，６の車軸７に対する移動調節幅を大きく構成している。草刈作業位置に応じて駆動車輪５，６幅を広くしたり、狭くして、作業性、乃至操作性を容易にすることができる。これら駆動車輪５，６の周面には、車輪内側縁に沿って突出形成するリング縁４１を形成し、放射状に突出のラグ４２を形成して、車輪５，６の駆動力を維持すると共に、横すべりを防止する形態にしている。
【００１５】
又、前記車軸７は、ウォームケース３０内にクラッチ機構５１を設け、ハンドル１９部に設けるクラッチレバー４３を把持することによって、このクラッチ機構５１を入切操作して、左、右駆動車輪５，６の駆動力を入切することができる。又、ハンドル１９をＴ字形態にして、ハンドル旋回軸２１に対して上下回動してハンドル高さを調節可能に構成している。又、ハンドルフレーム２０は途中部の伸縮部４４部で伸縮可能に構成している。
５０はエンジン４の回転数を増減させるアクセルレバーである。前記伝動ケース３の下面にはブレード１４回転部の上側面から左右両側面を覆う板金製の刈刃カバー４５を取付けて、前側に刈取芝草を案内する草入口４６を開放形成し、後側に排出口４７を形成して左右の駆動車輪５，６間にのぞませている。又、前記ホイルゲージ１５は、この刈刃カバー４５の左右外側部に位置して、後側のブレード軸１，２に近い位置を接地するように配置している。このホイルゲージ１５を、前記ホイルフレーム１７に対して上下調節することができる。このホイルフレーム１７は、伝動ケース３の前側上部で左右幅広形態に構成することによって、把持して機体前部の持上げ操作を行い易く構成している。作業時の畦越えや、車両等に対する積降作業等では使用容易である。
【００１６】
前記ウォームケース３０における車輪駆動軸１１、及びウォームギヤ９の構成位置は、車軸７の左寄りに設定して、下方への突出を少なくする形態とし、刈取芝草の排出の邪魔にならないように構成したが、この車輪駆動軸１１、及びウォームギヤ９を、車軸７の後側に位置するように構成することも可能である。この形態では、車輪駆動軸１１が後位に位置するため、車軸７を前側へ移動させて、ブレード軸１，２との前後間隔を短く設定することができる。又は、この車輪駆動軸１１と、前側の入力軸１２との間に、変速軸及び変速ギヤ等を配置して、ギヤ伝動する形態とすることも可能である。
【図面の簡単な説明】
【００１７】
【図１】伝動ケース部の平面図。
【図２】その側面図。
【図３】草刈機の平面図。
【図４】その側面図と、一部の正面図。
【図５】その背面図。
【符号の説明】
【００１８】
１    ブレード軸（左）
２    ブレード軸（右）
３    伝動ケース
４    エンジン
５    駆動車輪（左）
６    駆動車輪（右）
７    車軸
８    変速ギヤ
９    ウォームギヤ
１０  ブレード連動ギヤ
１１  車輪駆動軸
１２  入力軸
【図１】
2008167679.tif 000003
【図２】
2008167679.tif 000004
【図３】
2008167679.tif 000005
【図４】
2008167679.tif 000006
【図５】
2008167679.tif 000007